(57)【特許請求の範囲】
【請求項１】
前面に開口を有する自動販売機本体の内部に形成された断熱構造の商品収容室と、
前記自動販売機本体に開閉可能に配設され、閉動作した場合に前記商品収容室の前面開口を閉成する扉体と、
前記商品収容室の前面開口の一縁部に沿って配設され、前記自動販売機本体を補強するための補強フレーム材と、
前記補強フレーム材に取り付けられ、かつ前記扉体が前記商品収容室の前面開口を閉成する場合に自身のシール部が弾性変形する長尺状の化粧枠材と
を備えた自動販売機において、
前記化粧枠材のシール部は、自身の中空部を区画する区画部材が前方に向かうに連れて自身の長手方向と直交する方向に二股状に分岐して形成してあるとともに、この二股状に分岐した部分の間における前方を臨む個所に長手方向に沿って凹部が形成してあることを特徴とする自動販売機。
【請求項２】
前記区画部材は、前記化粧枠材の長手方向に直交する面で切断した場合の断面形状がＹ字型をなすことを特徴とする請求項１に記載の自動販売機。
【発明の詳細な説明】
【技術分野】
【０００１】
本発明は、自動販売機に関し、より詳細には、例えば缶入り飲料やペットボトル入り飲料等の商品を販売する自動販売機に関するものである。
【背景技術】
【０００２】
従来、例えば缶入り飲料やペットボトル入り飲料等の商品を販売する自動販売機としては、前面が開口した直方状の本体キャビネット（自動販売機本体）の内部に断熱構造を有する商品収容室が設けられている。この商品収容室を断熱仕切板で仕切ることにより複数の商品収容庫が設けられ、この商品収容庫の内部雰囲気を加熱若しくは冷却することによって該商品収容庫の内部に収容された商品を所望の温度状態に維持するようにしている。
【０００３】
例えば、ホット商品を販売する場合には、商品収容庫の内部を加熱ヒータにより５５℃程度に加熱する一方、コールド商品を販売する場合には、商品収容庫の内部を冷却ユニットにより５℃程度に冷却しており、利用者の選択した商品をそれぞれ最適販売温度で提供するようにしている。
【０００４】
ところで、上述したような商品収容室は、本体キャビネットの内部にボード状の断熱材を付設することにより形成されており、前面が開口している。このような商品収容室の前面開口の上縁部や一対の側縁部等の一縁部には補強フレーム材が配設されているとともに、該補強フレーム材に化粧枠材が取り付けられている（例えば、特許文献１参照）。以下において、図面を参照しながら従来の化粧枠材の構成について説明する。
【０００５】
図４は、従来の商品収容室の要部を拡大して示す拡大断面側面図である。尚、図４では、商品収容室２００の前面開口の上縁部の構成を示している。この図４に示すように、商品収容室２００の前面開口の上縁部には、該上縁部に沿って、すなわち左右方向に沿って長尺状の補強フレーム材３００が配設されている。補強フレーム材３００は、鋼板を屈曲加工して形成したものであり、本体キャビネット１００を補強して剛性を向上させるために配設されている。そして、この補強フレーム材３００の取付部３３０には化粧枠材４００が係合して取り付けられている。化粧枠材４００は、弾性材から形成されるもので、本体キャビネット１００に付設された断熱材１６０を保持するためのものである。このような化粧枠材４００の前端には、シール部４５０が設けられている。このシール部４５０は、本体キャビネット１００の一側縁部に開閉可能に設けられた内扉１００（図５参照）が閉動作して商品収容室２００の前面開口を閉成する場合に、該内扉１００に当接して弾性変形する部位である。かかるシール部４５０は、中空部４７０を有しており、該中空部４７０を区画する区画部材４８０が設けられている。この区画部材４８０の形状は特に決められていないが、シール部４５０が自重で垂れ下がることを防止すべく、略水平方向に沿って延在して中空部４７０を上下に区画する形状、いわゆるリブ形状を有しているのが一般的であった。
【先行技術文献】
【特許文献】
【０００６】
【特許文献１】特開２００７−３４８３１号公報
【発明の概要】
【発明が解決しようとする課題】
【０００７】
ところが、上記自動販売機の化粧枠材４００では、区画部材４８０がリブ形状を有していたので、図５に示すように、内扉１００を閉成した場合にシール部４５０が前後方向に潰れる態様で弾性変形せずに上方に向けて反り上がってしまい、この結果、商品収容室２００を気密に保持することができない虞れがあった。
【０００８】
本発明は、上記実情に鑑みて、化粧枠材のシール部を良好に弾性変形させて商品収容室の気密性の向上を図ることができる自動販売機を提供することを目的とする。
【課題を解決するための手段】
【０００９】
上記目的を達成するために、本発明の請求項１に係る自動販売機は、前面に開口を有する自動販売機本体の内部に形成された断熱構造の商品収容室と、前記自動販売機本体に開閉可能に配設され、閉動作した場合に前記商品収容室の前面開口を閉成する扉体と、前記商品収容室の前面開口の一縁部に沿って配設され、前記自動販売機本体を補強するための補強フレーム材と、前記補強フレーム材に取り付けられ、かつ前記扉体が前記商品収容室の前面開口を閉成する場合に自身のシール部が弾性変形する長尺状の化粧枠材とを備えた自動販売機において、前記化粧枠材のシール部は、自身の中空部を区画する区画部材が前方に向かうに連れて自身の長手方向と直交する方向に二股状に分岐して形成してあるとともに、この二股状に分岐した部分の間における前方を臨む個所に長手方向に沿って凹部が形成してあることを特徴とする。
【００１０】
また、本発明の請求項２に係る自動販売機は、上述した請求項１において、前記区画部材は、前記化粧枠材の長手方向に直交する面で切断した場合の断面形状がＹ字型をなすことを特徴とする。
【発明の効果】
【００１１】
本発明の自動販売機によれば、化粧枠材のシール部は、前方を臨む個所に自身の長手方向に沿って凹部が形成してあるとともに、自身の中空部を区画する区画部材が前方に向けて二股状に分岐してなるので、内扉を閉動作させて商品収容室の前面開口を閉成した場合に、前後方向に潰れる態様で弾性変形し、この結果、商品収容室を気密に保持することができる。従って、化粧枠材のシール部を良好に弾性変形させて商品収容室の気密性の向上を図ることができるという効果を奏する。
【図面の簡単な説明】
【００１２】
【図１】図１は、本発明の実施の形態である自動販売機の内部構造を示す斜視図である。
【図２】図２は、図１に示した商品収容室の要部、すなわち商品収容室の前面開口の上縁部を拡大して示す拡大断面側面図である。
【図３】図３は、図２に示した商品収容室の前面開口の上縁部において内扉を閉動作させた場合を示す拡大断面側面図である。
【図４】図４は、従来の商品収容室の要部を拡大して示す拡大断面側面図である。
【図５】図５は、図４に示した商品収容室の前面開口の上縁部において内扉を閉動作させた場合を示す拡大断面側面図である。
【発明を実施するための形態】
【００１３】
以下に添付図面を参照しながら、本発明に係る自動販売機の好適な実施の形態について詳細に説明する。
【００１４】
図１は、本発明の実施の形態である自動販売機の内部構造を示す斜視図である。ここで例示する自動販売機は、例えば缶入り飲料やペットボトル入り飲料等の商品を販売するためのもので、自動販売機本体である本体キャビネット１０を備えている。尚、本実施の形態においては、自動販売機を正面から見た場合の左方を左側とし、自動販売機を正面から見た場合の右方を右側として説明する。
【００１５】
本体キャビネット１０は、複数の金属板を適宜組み合わせることによって構成したもので、前面が開口した直方状に構成してある。より具体的には、天板１１、一対の側板１２、底板１３、背板１４を接合することによって直方状の本体キャビネット１０を構成するようにしている。一対の側板１２は、それぞれ底板１３よりも下方に延在しており、互いの間に台座板１５を接合してある。
【００１６】
このような本体キャビネット１０においては、天板１１、一対の側板１２、底板１３及び背板１４に沿ってボード状の断熱材１６（図２参照）を付設することにより、断熱構造を有する商品収容室２０が設けてある。ここで、天板１１に付設された断熱材１６は、商品収容室２０の天壁を構成し、側板１２に付設された断熱材は、それぞれ商品収容室２０の一対の側壁を構成し、底板１３に付設された断熱材は、商品収容室２０の底壁を構成し、背板１４に付設された断熱材は、商品収容室２０の背壁を構成している。
【００１７】
このような商品収容室２０には、複数（図示の例では２つ）の断熱仕切板２１により複数（図示の例では３つ）の独立した商品収容庫２２が左右に並設してある。
【００１８】
これら商品収容庫２２は、缶入り飲料やペットボトル入り飲料等の商品を所望の温度に維持した状態で収容するためのものである。各商品収容庫２２には、それぞれの上方部に、商品投入口を通じて投入された商品を横倒し姿勢で収容するための商品収納ラック２３が配設してある一方、搬出シュータ２４によって区画される下方に熱交換器（図示せず）が配設してあり、該熱交換器の駆動により、商品収納ラック２３に収納された飲料缶やペットボトルを所望の冷却温度、あるいは加熱温度に維持することが可能である。
【００１９】
上記自動販売機には、本体キャビネット１０の左側縁部に内扉（扉体）１及び外扉２がそれぞれ開閉可能に配設してある。内扉１は、本体キャビネット１０に設けた商品収容室２０の前面を覆うのに十分な大きさを有したものであり、断熱構造を有するものである。かかる内扉１は、閉動作した場合に、商品収容室２０の前面開口を閉成するものである。尚、図示の例では、内扉１を上下に分割し、それぞれを個別に開閉できるようにしてある。
【００２０】
外扉２は、本体キャビネット１０の前面開口を覆うのに十分な大きさを有したものである。この外扉２には、図には明示しないが、その前面側にディスプレイウィンドウ、商品選択ボタン、硬貨投入口、紙幣挿入口、一体表示器、硬貨返却口及び商品取出口３が設けてある一方、外扉２の後面側には、硬貨処理機４、硬貨回収箱５及び紙幣処理機６が設けてある。
【００２１】
ディスプレイウィンドウは、外扉２の内部に配設されたディスプレイ台に載置される商品見本等を利用者に視認させるための窓である。商品選択ボタンは、利用者が購入商品を選択するための押ボタンスイッチであり、ディスプレイウィンドウを通じて視認される商品見本毎に用意してある。
【００２２】
硬貨投入口は、利用者が硬貨を投入するための開口である。この硬貨投入口を通じて投入された硬貨は、硬貨処理機４においてその金種が識別され、その後、硬貨回収箱５に収容されることになる。
【００２３】
紙幣挿入口は、利用者が紙幣を挿入するための開口である。この紙幣挿入口を通じて挿入された紙幣は、紙幣処理機６においてその金種が識別されることになる。また上記紙幣挿入口は、紙幣処理機６において識別できなかった紙幣を返却するための機能を有している。
【００２４】
一体表示器は、貨幣の投入金額、販売中であるか否か、釣銭があるか否か等、各種情報を利用者に表示するためのものである。硬貨返却口は、硬貨処理機４において識別できなかった硬貨、あるいは釣銭となる硬貨を利用者に返却するための開口である。商品取出口３は、商品収納ラック２３から払い出された商品を利用者が受け取るための開口である。
【００２５】
図２は、図１に示した商品収容室２０の要部、すなわち商品収容室２０の前面開口の上縁部を拡大して示す拡大断面側面図である。商品収容室２０の前面開口の上縁部には、補強フレーム材３０及び化粧枠材４０が配設してある。
【００２６】
補強フレーム材３０は、本体キャビネット１０（特に商品収容室２０）を補強して剛性を向上させるためのものであり、鋼板を屈曲加工して形成され、商品収容室２０の前面開口の上縁部に沿って、すなわち左右方向に沿って延在する長尺状のものである。
【００２７】
このような補強フレーム材３０は、前端部３１が商品収容室２０の内方、すなわち下方に延在するように折り曲げてある。また、補強フレーム材３０の略中央部には、補強部３２が形成してある。補強部３２は、横断面がコ字状となる態様で折り曲げた部分であり、下方に向けて張り出すように形成してある。補強フレーム材３０の後部には、取付部３３が形成してある。取付部３３は、縦断面がＬ字状となる態様で折り曲げた部分であり、下方に向けて延在した後に後方に向けて延在するように形成してある。
【００２８】
化粧枠材４０は、弾性材料から形成されたもので、補強フレーム材３０の取付部３３に取り付けられた長尺状のものである。この化粧枠材４０は、商品収容室２０（商品収容庫２２）の内部に補強フレーム材３０が露出しないように、該補強フレーム材３０を覆うためのもので、自身が長手方向が左右方向に一致している。
【００２９】
このような化粧枠材４０は、取付部３３の後方に延在する部分（以下、後方延在部という）３３ａを覆う基部４１を有している。基部４１は、取付部３３の後方延在部３３ａと略同一の幅を有し、当該後方延在部３３ａと対向する面には、複数（図示の例では２つ）の凸条４１ａが形成してある。このため、補強フレーム材３０と化粧枠材４０との間には、上記凸条４１ａにより空気層５０が形成されることになる。
【００３０】
基部４１の後方には、係合部４２及び支持部４３が形成してある。係合部４２は、上方に向けて延在する部分であり、取付部３３の後端部と係合するものである。支持部４３は、係合部４２の後方側に形成してあり、天板１１に付設された断熱材１６を支持するためのものである。
【００３１】
基部４１の前方には、被覆部４４及びシール部４５が形成してある。被覆部４４は、取付部３３の下方に向けて延在する部分（以下、下方延在部という）３３ｂを被覆するものであり、上方に向けて延在している。
【００３２】
シール部４５は、被覆部４４の前方側に形成してあり、内扉１を閉動作させた場合に該内扉１に当接して自身が弾性変形するものである。このようなシール部４５は、前方を臨む個所に自身の長手方向（左右方向）に沿って凹部４６、すなわちノッチが形成してある。このシール部４５は、中空部４７を有しており、かかる中空部４７を区画する区画部材４８が設けてある。この区画部材４８は、前方に向けて二股状に分岐してなる形状を有しており、より詳細に説明すると、化粧枠材４０の長手方向（左右方向）に直交する面で切断した場合の断面形状、すなわち縦断面形状がＹ字型をなしている。
【００３３】
このような化粧枠材４０は、引き抜き成型により一体に形成したものを商品収容室２０の開口長に合わせて切断して作成されたものである。そして、補強フレーム材３０の取付部３３の後端部に係合部４２を係合させた後、被覆部４４及びシール部４５を取付部３３に沿って押し込むことにより、仮止めされる。しかる後に、ネジ６０により化粧枠材４０を補強フレーム材３０に締結させることにより、化粧枠材４０は、補強フレーム材３０（取付部３３）に取り付けられる。
【００３４】
以上のような構成を有する本実施の形態である自動販売機においては、化粧枠材４０のシール部４５は、前方を臨む個所に左右方向に沿って凹部４６が形成してあるとともに、自身の中空部４７を区画する区画部材４８が前方に向けて二股状に分岐してなる態様で縦断面形状がＹ字型をなしているので、図３に示すように内扉１を閉動作させて商品収容室２０の前面開口を閉成した場合に、前後方向に潰れる態様で弾性変形し、この結果、商品収容室２０を気密に保持することができる。従って、本実施の形態である自動販売機によれば、化粧枠材４０のシール部４５を良好に弾性変形させて商品収容室２０の気密性の向上を図ることができる。
【００３５】
以上、本発明の好適な実施の形態について説明したが、本発明はこれに限定されることなく、種々の変更を行うことができる。
【００３６】
例えば、上述した実施の形態においては、商品収容室２０の前面開口の上縁部に沿って配設された化粧枠材４０について説明したが、本発明はこれに限定されず、商品収容室２０の前面開口の一対の側縁部に沿って配設される化粧枠材も同様の構成を有していても良い。かかる前面開口の側縁部に沿って配設される化粧枠材は、自身の長手方向が上下方向となり、シール部の前方を臨む個所には、上下方向に沿って凹部が形成されることになる。また、かかるシール部の中空部を区画する区画部材は、前方に向けて二股状に分岐してなる態様で横断面形状がＹ字型をなしている。
【産業上の利用可能性】
【００３７】
以上のように、本発明に係る自動販売機は、例えば缶入り飲料やペットボトル入り飲料等の商品を販売するのに有用である。
【符号の説明】
【００３８】
１  内扉
２  外扉
１０  本体キャビネット
１１  天板
１２  側板
１３  底板
１４  背板
１５  台座板
１６  断熱材
２０  商品収容室
２１  断熱仕切板
２２  商品収容庫
２３  商品収納ラック
２４  搬出シュータ
３０  補強フレーム材
３１  前端部
３２  補強部
３３  取付部
３３ａ  後方延在部
３３ｂ  下方延在部
４０  化粧枠材
４１  基部
４１ａ  凸条
４２  係合部
４３  支持部
４４  被覆部
４５  シール部
４６  凹部
４７  中空部
４８  区画部材
５０  空気層
【図１】
0005434516.tif 000002
【図２】
0005434516.tif 000003
【図３】
0005434516.tif 000004
【図４】
0005434516.tif 000005
【図５】
0005434516.tif 000006